(57)【要約】      （修正有）【課題】電子レンジで加熱した際に発生する蒸気を、外部に放出するための機構を備えると共に虫や異物の混入を可及的に防ぐことが可能な包装用容器の蓋を提供する。【解決手段】容器本体３０内部に食品を収容した状態で電子レンジで加熱することが予定された包装用容器本体に被せる蓋１０において、天板部に容器本体側に窪んだ凹面１２を設け、当該凹面に切込みを設けて構成した。また、別の形態では、天板部に容器本体側に窪んだ斜面を設け、当該斜面に切込みを設け、該切込みが曲線状である。【選択図】図１
2019081612.tif 000002
【特許請求の範囲】
【請求項１】
容器本体内部に食品を収容した状態で電子レンジで加熱することが予定された包装用容
器本体に被せる蓋であって、蓋体の天板部に切込みを設けたことを特徴とする包装用容器
の蓋。
【請求項２】
天板部に容器本体側に窪んだ凹面を設け、当該凹面に切込みを設けた請求項１に記載の
包装用容器の蓋。
【請求項３】
天板部に容器本体側に窪んだ斜面を設け、当該斜面に切込みを設けた請求項１に記載の
包装用容器の蓋。
【請求項４】
切込みが曲線である請求項１乃至請求項３いずれかに記載の包装用容器の蓋。
【発明の詳細な説明】
【技術分野】
【０００１】
本発明は弁当や各種の調理済み食品等を収容する場合などに用いる食品包装用容器の蓋
に関し、より詳しくは電子レンジで加熱した際に発生する蒸気を、外部に放出するための
機構を備えると共に虫の混入を防ぐことが可能な包装用容器の蓋に関する。
【背景技術】
【０００２】
スーパーやコンビニエンスストアなどの小売店の店頭には、弁当や各種の調理済み食品
が包装用容器に包装されて数多く陳列されている。
【０００３】
かかる包装用容器は、食品等を収容可能に構成された容器本体と、該容器本体の開口部に着脱自在に取り付けられた蓋体と、当該蓋体を、内容物を収容した容器本体の開口部に取り付けた状態で、容器本体と蓋体とを固定するフィルム包装材とを備えるものである。
【０００４】
上記のように食品等を収容したうえでフィルム包装された包装用容器は、フィルム包装されたそのままで電子レンジを用いて加熱されることが多い。
【０００５】
上記のような用途に用いられる包装用容器にあっては、容器本体内に収容した食品の液汁等が外部に漏れないように密閉性を確保すると共に、電子レンジで加熱した際に発生する水蒸気で容器が過度に膨張したり、破裂しないように水蒸気を容器外に放出させることが要求される。そこで蓋体に弁を設けたり、あるいは孔部を設けて水蒸気を外部に放出することが行われている。
【０００６】
特許文献１には、電子レンジで加熱したとき容器内部で発生する水蒸気の圧力によって部分的にコーナー部の嵌合を解除して水蒸気を外部に放出させる包装用容器が開示されている。
【０００７】
特許文献２には、容器本体のフランジあるいは蓋体のフランジのいずれか少なくとも一方に排気孔を形成した包装用容器が開示されている。
【０００８】
特許文献３には、包装用容器の蓋に切り込みを設けることで弁を形成し、蒸気を逃がす
ことが可能な包装用容器が開示されている。
【０００９】
特許文献４には、レーザー光線を照射することで蓋に排気孔を設けた包装用容器が開示
されている。
【先行技術文献】
【特許文献】
【００１０】
【特許文献１】特開２００１−９７４３６号公報
【特許文献２】特開２００７−２７６８３５号公報
【特許文献３】登録実用新案公報第３１３８６０１号公報
【特許文献４】特開２０１７−８１５９９号公報
【発明の開示】
【発明が解決しようとする課題】
【００１１】
上記の通り、食品等を包装した容器は、蒸気を逃がす手段を設けることが望まれる。
【００１２】
かかる手段として蓋に弁を設けた場合、容器を重ねて置く等して弁に荷重がかかると、当該弁が容器本体側に降下し、蓋に隙間が生じる。そして、当該隙間から昆虫が侵入した
り、異物が混入する恐れが生じる。
【００１３】
また、レーザー光線を照射して排気孔を設ける場合、通常当該排気孔の幅は０．２〜
０．４ｍｍ程度に設定するが、この程度の幅を有する孔部には、昆虫の侵入や異物の混入
の可能性が指摘されている。また、レーザーを照射して排気孔を設けるには、対象物の厚
み等に応じた細かい設定が必要であり、更には孔部の大きさのチェックが必要など、製作
工程が複雑になりがちである。
【００１４】
そこで本発明は、電子レンジで加熱した際に発生する蒸気を、外部に放出するための機
構を備えると共に虫や異物の混入を可及的に防ぐことが可能な包装用容器の蓋を提供する
ことを目的とする。
【課題を解決するための手段】
【００１５】
上記課題を解決する本発明の構成は、以下の通りである。
【００１６】
（１）請求項１に記載の包装用容器の蓋は、容器本体内部に食品を収容した状態で電子
レンジで加熱することが予定された包装用容器本体に被せる蓋において、蓋体の天板部に
切込みを設けて構成した。
【００１７】
（２）請求項２に記載の包装用容器の蓋は、請求項１記載の包装用容器の蓋において、
天板部に容器本体側に窪んだ凹面を設け、当該凹面に切込みを設けて構成した。
【００１８】
（３）請求項３に記載の包装用容器の蓋は、請求項１記載の包装用容器の蓋において、
天板部に容器本体側に窪んだ斜面を設け、当該斜面に切込みを設けて構成した。
【００１９】
（４）請求項４に記載の包装用容器の蓋は、請求項１乃至請求項３いずれかに記載の包
装用容器の蓋において、切込みが曲線状に構成した。
【発明の効果】
【００２０】
上記のように構成される本発明が、如何に作用して課題を解決するかを図面を参照しな
がら概説する。
【００２１】
本発明にかかる包装用容器の蓋１０は、図１や図８に示すように容器本体３０に図示さ
れない食品等を入れた状態で、被せて使用されるものである。
【００２２】
図１や図２に示されるように、本発明にかかる包装用容器の蓋１０は、その天面１１に
切込み２０を設けてある。切込みであるがゆえに、従来例のように孔部を設けた場合に比
べ、その間隙は極めて小さく、０．１ｍｍ以下にすることも容易である。
【００２３】
また、トムソン刃や、刃を備えた型で切込みを設ければ、切断面には切断痕が発生する
が、かかる切断痕が、異物や昆虫の侵入をより困難にするという効果もある。
【００２４】
請求項２に記載の発明では、図４に示される凹面１３に切込みが設けてある。凹面ゆえ
に弛みがあり、かかる弛みゆえに変形しやすく、レンジで加熱した際に容易に水蒸気の放
出が可能となるものである。
【図面の簡単な説明】
【００２５】
【図１】包装用容器の蓋及び容器本体の全体斜視図
【図２】図１におけるＡ−Ａ線断面図。 
【図３】図１における包装用容器の蓋のみのＢ−Ｂ線断面図
【図４】請求項２記載の発明におけるＢ−Ｂ線断面図
【図５】請求項３記載の発明におけるＢ−Ｂ線断面図
【図６】請求項４記載の発明の斜視図
【図７】切込みを設ける実施形態を示した概略図
【図８】フィルムを被せた状態の概略図
【発明を実施するための形態】
【００２６】
以下、好ましい本発明の構成要素の実施形態につき、図面を参照しながら概説する。な
お、本発明構成要素の実施形態は、下記の実施形態に何ら限定されることはなく、本発明
の技術的範囲に属する限り、種々の形態を採りうる。
【００２７】
本発明にかかる包装用容器の蓋１０は、図１に示すように容器本体３０の開口部３１に
嵌め込まれて使用されるものである。容器本体部１０内には食品が収容され、蓋１０が被
せられた状態のまま、電子レンジのマイクロ波照射により加熱調理されるものである。ま
た、図８に示さるように、蓋１０を容器本体１０に嵌合した状態で、フィルム４０でシュ
リンクパックして販売され、そのままの状態でレンジで加熱されることも多い。
【００２８】
蓋１０は平面視円形に図示されているが、その形状は容器本体３０の開口部に応じて適宜であり、多角形や楕円形等の形状とすることも可能である。
【００２９】
蓋１０は安価かつ簡便に量産して製造できる合成樹脂のシートから形成される。具体的
には、ポリエチレン、ポリプロピレン、ポリスチレン、ポリエチレンテレフタレート（Ｐ
ＥＴ樹脂）等の熱可塑性樹脂シートを利用可能である。
【００３０】
蓋１０の天面１には凹部１２が設けられており、この凹部１２の底面に切込み２０が設
けられる。凹部１２が設けられているのは、切込み２０と、指やシュリンクパックのフィ
ルムとの接触を避けるため、すなわち指やフィルムで切込み２０が押され、間隙が生じる
ことを抑制するためである。
【００３１】
図示の容器本体部３０と蓋１０の嵌合は、内嵌合と称される形態であり、蓋１０の外
周部１３が容器本体３０の開口部３１に嵌り込む形態である。むろん、嵌合形態は図示の
内嵌合の他に外嵌合とすることもできる。例えば、蓋の縁部が容器本体の開口部に対して
外側から被さる形態である。
【００３２】
蓋１０に設けた凹部１２の底面には切込み２０が設けてある。切込み２０は一本でもよ
いし複数本でも構わない。また切込み２０は直線状でもよいし、図６に示されるように曲
線状でも構わない。
【００３３】
凹部１２の底面は、図２に示されるように水平な平面でも構わないし、図４に示される
ように容器本体側に窪んだ凹面でもよい。また、図５に示されるように斜面でも構わな
い。
【００３４】
本発明合成樹脂シートを真空、圧空、または真空圧空により金型に密着・加熱させるこ
とで成形されるものである。
【００３５】
次いで第二段階としてトムソン刃や雄刃・雌刃を用い切り込みを設けるものである。図
７は雄刃・雌刃を用いて切り込みを設ける実施状態を示すものである。図７において、５
０は固定刃、６０は可動刃である。固定刃５０は、開口下向きに搬送されるシート成形容
器の蓋１０を下方から支持する上面支持部５１に連続する縦方向側面に雌刃５２を設けて なる。
【００３６】
一方、可動刃６０は、固定刃５０の雌刃５２に嵌入可能に上下動する雄刃６１を備え
る。また、可動刃６０の内側はシート成形蓋の天面と同じ形状の逃げ凹部６２としてい
る。
【符号の説明】
【００３７】
１０・・包装用容器の蓋
１１・・天面
１２・・凹部
１３・・凹面
２０・・切込み
３０・・容器本体
【図１】
2019081612.tif 000003
【図２】
2019081612.tif 000004
【図３】
2019081612.tif 000005
【図４】
2019081612.tif 000006
【図５】
2019081612.tif 000007
【図６】
2019081612.tif 000008
【図７】
2019081612.tif 000009
【図８】
2019081612.tif 000010